(57)【要約】【課題】  ユーザが意図するものとは異なるアプリケーションプログラムに誤って関連づけされるのを抑制することができる携帯情報端末を提供する。【解決手段】  ユーザ操作に基づいてメモ情報を生成するメモ情報生成手段と、メモ情報から文字情報を抽出する文字情報抽出手段と、文字情報からキーワードを検出するキーワード検出手段と、キーワード辞書及び検出されたキーワードに基づいて、メモ情報に関連するカテゴリーを判別するカテゴリー判別手段と、カテゴリー辞書及び判別されたカテゴリーに基づいて、メモ情報に関連するアプリケーションプログラムを判別するアプリケーション判別手段と、メモ情報を関連するアプリケーションプログラムに対応づけて保持するメモ情報記憶手段と、アプリケーションプログラムの実行中に、当該アプリケーションプログラムに関連づけられたメモ情報を表示するメモ情報表示手段により構成される。【選択図】  図２
2014164603.tif 000002
【特許請求の範囲】
【請求項１】
ユーザ操作に基づいて、文字情報を含むメモ情報を生成するメモ情報生成手段と、
上記メモ情報から文字情報を抽出する文字情報抽出手段と、
上記文字情報からキーワードを検出するキーワード検出手段と、
キーワードをカテゴリーに対応づけて保持するキーワード辞書及び上記キーワード検出手段により検出されたキーワードに基づいて、上記メモ情報に関連するカテゴリーを判別するカテゴリー判別手段と、
カテゴリーをアプリケーションプログラムに対応づけて保持するカテゴリー辞書及び上記カテゴリー判別手段により判別されたカテゴリーに基づいて、上記メモ情報に関連するアプリケーションプログラムを判別するアプリケーション判別手段と、
上記メモ情報を当該メモ情報が関連するアプリケーションプログラムに対応づけて保持するメモ情報記憶手段と、
上記アプリケーションプログラムの実行中に、当該アプリケーションプログラムに関連づけられた上記メモ情報を表示するメモ情報表示手段とを備えたことを特徴とする携帯情報端末。
【請求項２】
上記アプリケーション判別手段は、同一のメモ情報に関連づけられている各アプリケーションプログラムについてカテゴリーの出現回数を計数し、上記出現回数が最大のアプリケーションプログラムを当該メモ情報に関連づけることを特徴とする請求項１に記載の携帯情報端末。
【請求項３】
上記カテゴリー辞書は、関連づけの重み係数と共にカテゴリーをアプリケーションプログラムに対応づけて保持し、
上記アプリケーション判別手段は、同一のメモ情報に関連づけられている各アプリケーションプログラムについてカテゴリーごとに上記重み係数を加算し、上記重み係数の合計が最大のアプリケーションプログラムを当該メモ情報に関連づけることを特徴とする請求項１に記載の携帯情報端末。
【請求項４】
上記アプリケーション判別手段は、上記メモ情報が変更された場合に、変更後のメモ情報に基づいて、アプリケーションプログラムに対する上記メモ情報の関連づけを再度行うことを特徴とする請求項１〜３のいずれかに記載の携帯情報端末。
【請求項５】
表示面へのタッチ操作を検出するタッチパネルを備え、
上記メモ情報生成手段は、上記表示面に対する上記タッチ操作に基づいて、手書きされた線画からなる画像を上記メモ情報として生成することを特徴とする請求項１〜４のいずれかに記載の携帯情報端末。
【発明の詳細な説明】
【技術分野】
【０００１】
本発明は、携帯情報端末に係り、さらに詳しくは、文字情報を含むメモ情報をアプリケーションプログラムの実行中に表示する携帯情報端末の改良に関する。
【背景技術】
【０００２】
携帯電話機、タブレット端末、ＰＤＡ（Personal Digital Assistant）などの携帯情報端末には、文字情報を含むメモ情報を作成し、必要に応じて画面上に表示させるメモ機能を備えたものが知られている（例えば、特許文献１）。メモ情報には、文字列を入力して得られる文字コードからなる文書データの他、カメラにより撮影された静止画像、手書きされた線画からなる画像、マイクロホンにより集音された音声データ等がある。この様なメモ情報をその内容に関連するアプリケーションプログラムの実行中に表示すれば、メモ情報を適切なタイミングで活用することができる。
【０００３】
例えば、チラシ広告を見て商品の販売価格や販売店舗の名前を示す文字列を入力し、或いは、チラシ広告の該当部分を撮影することにより、メモ情報が作成される。その後、購入予定の商品について販売価格の比較を行う買物帳アプリケーションや、地図を画面上に表示して販売店舗などへの道筋を案内する地図アプリケーションを起動させた際に、メモ情報が表示されれば、商品購入に役立てることができる。
【先行技術文献】
【特許文献】
【０００４】
【特許文献１】特開２０１２−１２９７７０号公報
【発明の概要】
【発明が解決しようとする課題】
【０００５】
アプリケーションプログラムの実行中に、当該アプリケーションプログラムに関連するメモ情報を自動的に表示させるには、メモ情報とアプリケーションプログラムとの関連づけを事前に行っておく必要がある。しかしながら、上述した従来の携帯情報端末では、メモ情報を作成するごとに、ユーザ自身が操作部を操作してアプリケーションプログラムへの関連づけを行わなければならず煩雑であるという問題があった。
【０００６】
そこで、メモ情報をデータファイルとして管理する際に用いられるファイル名やデータファイルの属性情報を利用することにより、アプリケーションプログラムへの関連づけを自動的に行うことが考えられる。しかし、その様な単純な関連づけでは、ユーザが意図するものとは異なるアプリケーションプログラムに誤って関連づけされてしまう可能性が高いという問題がある。
【０００７】
本発明は、上記事情に鑑みてなされたものであり、アプリケーションプログラムに対するメモ情報の関連づけを自動的に行う際に、ユーザが意図するものとは異なるアプリケーションプログラムに誤って関連づけされるのを抑制することができる携帯情報端末を提供することを目的とする。
【課題を解決するための手段】
【０００８】
本発明による携帯情報端末は、ユーザ操作に基づいて、文字情報を含むメモ情報を生成するメモ情報生成手段と、上記メモ情報から文字情報を抽出する文字情報抽出手段と、上記文字情報からキーワードを検出するキーワード検出手段と、キーワードをカテゴリーに対応づけて保持するキーワード辞書及び上記キーワード検出手段により検出されたキーワードに基づいて、上記メモ情報に関連するカテゴリーを判別するカテゴリー判別手段と、カテゴリーをアプリケーションプログラムに対応づけて保持するカテゴリー辞書及び上記カテゴリー判別手段により判別されたカテゴリーに基づいて、上記メモ情報に関連するアプリケーションプログラムを判別するアプリケーション判別手段と、上記メモ情報を当該メモ情報が関連するアプリケーションプログラムに対応づけて保持するメモ情報記憶手段と、上記アプリケーションプログラムの実行中に、当該アプリケーションプログラムに関連づけられた上記メモ情報を表示するメモ情報表示手段とを備えて構成される。
【０００９】
この様な構成によれば、メモ情報から文字情報を抽出して文字情報に含まれるキーワードを検出し、メモ情報に関連するカテゴリーを判別して、アプリケーションプログラムに対するメモ情報の関連づけが行われる。このため、メモ情報をデータファイルとして管理する際のファイル名やデータファイルの属性情報を利用してアプリケーションプログラムへの関連づけを行う場合に比べ、メモ情報自体の内容を関連づけに十分に反映させることができる。特に、キーワードを直接にアプリケーションプログラムと対応づけるのではなく、カテゴリーを介してアプリケーションプログラムに対応づけることにより、同じカテゴリーに属する複数のキーワードについて、関連づけの処理を簡素化することができる。また、キーワードを直接にアプリケーションプログラムに対応づける場合に比べて、関連づけの精度を向上させることができる。
【００１０】
従って、ユーザが意図するものとは異なるアプリケーションプログラムに誤って関連づけされるのを抑制することができる。また、メモ情報が作成されれば、アプリケーションプログラムへの関連づけが自動的に行われるので、ユーザ自身が操作部を操作してアプリケーションプログラムへの関連づけを行う手間を省くことができる。
【発明の効果】
【００１１】
本発明による携帯情報端末では、アプリケーションプログラムに対するメモ情報の関連づけを自動的に行う際に、ユーザが意図するものとは異なるアプリケーションプログラムに誤って関連づけされるのを抑制することができる。
【図面の簡単な説明】
【００１２】
【図１】本発明の実施の形態１による携帯情報端末１の一構成例を示した斜視図である。
【図２】図１の携帯情報端末１内の機能構成の一例を示したブロック図である。
【図３】図２の携帯情報端末１におけるキーワード辞書３１及びカテゴリー辞書３２の一例を示した図である。
【図４】図２の携帯情報端末１の動作の一例を示した図であり、アプリケーションプログラムに対するメモ情報４の関連づけの評価結果が示されている。
【図５】図２の携帯情報端末１におけるメモ情報４の登録時の動作の一例を示したフローチャートである。
【図６】本発明の実施の形態２による携帯情報端末１において用いられるカテゴリー辞書３２及びメモ情報４の関連づけの評価結果の一例を示した図である。
【図７】図６の携帯情報端末１の動作の一例を示した図であり、タッチパネル１２上に表示されるアプリケーション画面４０が示されている。
【発明を実施するための形態】
【００１３】
実施の形態１．
＜携帯情報端末１＞
図１は、本発明の実施の形態１による携帯情報端末１の一構成例を示した斜視図である。この携帯情報端末１は、タッチパネル１２を備えた携帯電話機であり、略矩形の操作面を有する薄型筐体１０からなる。通話時には縦長状態になる上記操作面には、受話用のスピーカ１１、タッチパネル１２、操作キー１３ａ〜１３ｃ及び送話用のマイクロホン１４が設けられている。スピーカ１１は、薄型筐体１０の長手方向の一方の端部に配置され、操作キー１３ａ〜１３ｃ及びマイクロホン１４は、他方の端部に配置されている。
【００１４】
タッチパネル１２は、表示面を有するディスプレイ装置１２ｂと、表示面へのタッチ操作を検出するタッチパネルセンサ１２ａにより構成される。例えば、ディスプレイ装置１２ｂは、ＬＣＤ（液晶ディスプレイ）と、ＬＣＤを背面側から照明するバックライトにより構成される。タッチパネルセンサ１２ａは、表示面に対するタッチ操作の操作位置を検出する操作部である。例えば、タッチパネルセンサ１２ａには、静電容量方式のセンサが用いられる。
【００１５】
スピーカ１１は、受話音を出力するための音声出力装置である。マイクロホン１４は、送話音を入力するための音声入力装置である。操作キー１３ａ〜１３ｃは、いずれもユーザの押下操作を検出する接点式スイッチからなる操作部であり、各種機能が割り当てられる。例えば、操作キー１３ａは、前の画面に戻るためのリターンキーである。また、操作キー１３ｂは、ホーム画面を表示するためのホームキーである。また、操作キー１３ｃは、メニュー画面を表示するためのメニューキーである。ホーム画面は、アプリケーションプログラムやコンテンツを選択するためのメニュー画面の一つである。
【００１６】
タッチパネル１２の表示面には、各種のピクトグラム２と、２以上のメニュー項目３とが配置されたホーム画面が表示されている。ピクトグラム２は、電波の受信状態、現在時刻、内蔵電池の電池残量等を絵文字によって示す表示オブジェクトであり、ホーム画面の上縁部に形成されたピクト表示領域内に配置されている。
【００１７】
メニュー項目３は、タッチ操作によって選択可能な表示オブジェクト、例えば、アイコンであり、文字列、記号、絵文字、図形などのシンボルによって表される。このメニュー項目３は、アプリケーションプログラムを起動させるための操作アイコンであり、アプリケーションプログラムごとに異なるシンボルが割り当てられている。この例では、買物帳アプリケーション、家計簿アプリケーション、アドレス帳アプリケーション、地図アプリケーション及びスケジュール管理アプリケーションがそれぞれに割り当てられた５つのメニュー項目３が表示されている。
【００１８】
買物帳アプリケーションは、購入予定の商品について、複数の販売店舗間で販売価格の比較を行うためのアプリケーションプログラムである。家計簿アプリケーションは、家計の収支を管理するためのアプリケーションプログラムである。アドレス帳アプリケーションは、住所や電話番号を管理するためのアプリケーションプログラムである。
【００１９】
地図アプリケーションは、地図を表示して現在の位置から目的地までの道筋や移動経路を案内するナビゲーション用のアプリケーションプログラムである。スケジュール管理アプリケーションは、行動予定を管理するためのアプリケーションプログラムである。この様なメニュー項目３に対しタッチ操作を行うことにより、当該メニュー項目３に対応づけられたアプリケーションプログラムを起動させることができる。
【００２０】
図２は、図１の携帯情報端末１内の機能構成の一例を示したブロック図である。この携帯情報端末１は、タッチパネルセンサ１２ａ、ディスプレイ装置１２ｂ、メモ情報生成部２０、文字情報抽出部２１、キーワード検出部２２、カテゴリー判別部２３、アプリケーション判別部２４、メモ情報記憶部２５、アプリケーション記憶部２６、アプリケーション実行部２７、メモ情報表示部２８、日本語辞書３０、キーワード辞書３１及びカテゴリー辞書３２により構成される。
【００２１】
メモ情報生成部２０は、ユーザ操作に基づいて、文字情報を含むメモ情報４を生成し、文字情報抽出部２１へ出力する。メモ情報４は、ユーザによってメモ（memorandum：覚え書き、備忘録）として記録することが指示されたユーザ指定情報である。その様なメモ情報４には、文字コードやキャラクタ情報からなる文書データ、カメラにより撮影された静止画や手書きされた線画からなる画像データ、マイクロホン１４により集音された音声データ、コンテンツデータといった各種のデータ形式のものが考えられる。
【００２２】
文書データは、文字列を入力することによって作成され、仮名文字、漢字、数字、記号、アルファベット文字等が割り当てられた複数の文字コードと、字体や文字サイズといったキャラクタ情報により構成される。コンテンツデータは、インターネット等の通信ネットワーク上のサーバー装置からダウンロードし、或いは、放送局から送信された放送信号を受信することによって得られる。つまり、メモ情報４には、文字コードや画像として文字情報が含まれている。
【００２３】
ここでは、一例として、タッチパネルセンサ１２ａから入力される検出信号に基づいて、タッチパネル１２の表示面をなぞるタッチ操作によって手書きされた線画からなる画像データ、例えば、白黒画像からなる画像データがメモ情報４として生成されている。
【００２４】
文字情報抽出部２１は、メモ情報生成部２０によって作成されたメモ情報４から文字情報を抽出し、その抽出結果をキーワード検出部２２へ出力する。キーワード検出部２２は、文字情報抽出部２１により抽出された文字情報からキーワードを検出し、その検出結果をカテゴリー判別部２３へ出力する。文字情報の抽出及びキーワードの検出には、日本語辞書３０が用いられる。日本語辞書３０は、日本語の文字や単語を示す多数の文字コードを文字の形状等を示す特徴情報に対応づけて保持するデータベースである。
【００２５】
文字情報の抽出は、メモ情報４が画像データからなる場合、画像データを解析し、エッジ検出や特徴点抽出といった手法を用いて行われる。キーワードの検出では、仮名文字列や数字列といった特定の文字列が文字情報から検出キーワードとして抽出される。例えば、仮名文字列「はくさい」、数字列「１５０」と漢字「円」との組合せ、アルファベット文字列「ＡＢＣ」と仮名文字列「スーパー」との組合せが検出キーワードとして抽出される。
【００２６】
カテゴリー判別部２３は、キーワード辞書３１を参照し、キーワード検出部２２により抽出された検出キーワードに基づいて、メモ情報４に関連するカテゴリーをメモ関連カテゴリーとして判別し、その判別結果をアプリケーション判別部２４へ出力する。例えば、検出キーワードに一致するカテゴリーを抽出することにより、メモ関連カテゴリーが判別される。キーワード辞書３１は、キーワードをカテゴリーに対応づけて保持するデータベースであり、互いに異なる多数のキーワードがそれぞれ１又は２以上のカテゴリーに対応づけられる。
【００２７】
カテゴリーは、キーワードの属性を示す属性情報である。各カテゴリーには、１又は互いに異なる２以上のキーワードが対応づけられている。つまり、キーワード辞書３１におけるキーワードとカテゴリーとの対応関係は、１対１の場合だけでなく、１対多、多対１の場合が含まれている。
【００２８】
例えば、各カテゴリーに対応づけらているキーワードの一例をカテゴリーごとに列挙すれば、カテゴリー「野菜」には、はくさい、にんじん、だいこん等のキーワードが対応づけられ、カテゴリー「商品名」には、はくさい、にんじん、だいこん、牛肉、液晶テレビといった様々なキーワードが対応づけられている。また、カテゴリー「価格」には、数字列と漢字「円」や記号「￥」との組合せ等のキーワードが対応づけられ、カテゴリー「店舗名」には、文字列「スーパー」や「デパート」を含むキーワードが対応づけられている。携帯情報端末１には、この様なキーワード辞書３１がカテゴリー関連づけテーブルとして保持される。
【００２９】
アプリケーション判別部２４は、カテゴリー辞書３２を参照し、カテゴリー判別部２３により判別されたメモ関連カテゴリーに基づいて、メモ情報４に関連するアプリケーションプログラムをメモ関連アプリケーションとして判別する。同一のメモ情報４に対し、２以上のアプリケーションプログラムが対応づけられ、これらのアプリケーションプログラムの中から、１又は２以上のメモ関連アプリケーションが抽出される。
【００３０】
カテゴリー辞書３２は、カテゴリーをアプリケーションプログラムに対応づけて保持するデータベースであり、互いに異なる多数のカテゴリーがそれぞれ１又は２以上のアプリケーションプログラムに対応づけられる。
【００３１】
各アプリケーションプログラムには、１又は互いに異なる２以上のカテゴリーが対応づけられている。つまり、カテゴリー辞書３２におけるカテゴリーとアプリケーションプログラムとの対応関係は、１対１の場合だけでなく、１対多、多対１の場合が含まれている。携帯情報端末１には、この様なカテゴリー辞書３２がアプリケーション関連づけテーブルとして保持される。
【００３２】
また、アプリケーション判別部２４は、メモ情報４をメモ関連アプリケーションに対応づけてメモ情報記憶部２５内に格納する。つまり、メモ情報記憶部２５には、メモ情報４が当該メモ情報４に関連するアプリケーションプログラムに対応づけて保持される。このメモ情報記憶部２５には、この様にメモ関連アプリケーションに対応づけられた１以上のメモ情報４が保持されている。
【００３３】
アプリケーション判別部２４では、同一のメモ情報４に関連づけられている各アプリケーションプログラムについて、メモ関連カテゴリーの出現回数を計数し、出現回数が最大のアプリケーションプログラムをメモ関連アプリケーションとして判別する動作が行われる。
【００３４】
アプリケーション記憶部２６には、ホーム画面や待ち受け画面などのメニュー画面上で実行対象の制御プログラムとして選択可能な１以上のアプリケーションプログラムが保持される。アプリケーション実行部２７は、ユーザ操作に基づいて、実行対象の制御プログラムとして選択されたアプリケーションプログラムをアプリケーション記憶部２６から読み出して実行する。
【００３５】
例えば、アプリケーション実行部２７は、タッチパネルセンサ１２ａから入力される検出信号に基づいて、アプリケーションプログラムのいずれか一つを実行対象の制御プログラムとして選択し、当該アプリケーションプログラムを起動させる。アプリケーションプログラムの実行中は、アプリケーション画面がディスプレイ装置１２ｂ上に表示される。
【００３６】
メモ情報表示部２８は、メモ関連アプリケーションの実行中に、当該メモ関連アプリケーションに関連づけられたメモ情報４を表示するための画面データを生成し、ディスプレイ装置１２ｂへ出力する。具体的には、メモ関連アプリケーションがアプリケーション実行部２７によって起動されれば、対応するメモ情報４をメモ情報記憶部２５から読み出して、アプリケーション画面上に表示する。
【００３７】
メモ情報生成部２０は、ユーザによる編集指示があれば、メモ情報記憶部２５からメモ情報４を読み出し、メモ情報４を変更する。アプリケーション判別部２４は、メモ情報４が変更された場合に、変更後のメモ情報４に基づいて、メモ関連アプリケーションの判別を再度行う。つまり、メモ情報４が変更されれば、変更後のメモ情報４に対し、文字情報の抽出、キーワードの検出、カテゴリーの判別が行われ、アプリケーションプログラムに対するメモ情報４の関連づけを再度行って、メモ情報４やメモ関連アプリケーションに対するメモ情報４の関連づけ情報が更新される。
【００３８】
＜キーワード辞書３１及びカテゴリー辞書３２＞
図３は、図２の携帯情報端末１におけるキーワード辞書３１及びカテゴリー辞書３２の一例を示した図であり、図中の（ａ）には、キーワード辞書３１が示され、（ｂ）には、カテゴリー辞書３２が示されている。このキーワード辞書３１には、キーワードごとに、関連する１又は２以上のカテゴリーを示す文字列が保持されている。つまり、この図３に示されたキーワード辞書３１では、各キーワードに対応づけられているカテゴリーの一例がキーワードごとに列挙されている。
【００３９】
具体的には、キーワード「はくさい」には、カテゴリー「野菜」及び「商品名」が対応づけられ、キーワード「数字列＋円」には、カテゴリー「価格」が対応づけられ、キーワード「文字列＋スーパー」には、カテゴリー「店舗名」及び「目的地」が対応づけられている。
【００４０】
キーワード「済」には、カテゴリー「購入済」が対応づけられ、キーワード「転記済」には、カテゴリー「廃棄」が対応づけられ、キーワード「文字列＋さん」には、カテゴリー「人名」が対応づけられ、キーワード「大阪」には、カテゴリー「地名」が対応づけられている。キーワード「０１２３４５６７８９」には、カテゴリー「電話番号」が対応づけられ、キーワード「数字列＋月＋数字列＋日」には、カテゴリー「日付」が対応づけられている。
【００４１】
図２に示したメモ情報４の場合、検出キーワードは、「はくさい」、「数字列＋円」及び「文字列＋スーパー」であり、当該メモ情報４には、「野菜」、「商品名」、「価格」、「店舗名」及び「目的地」の５つのメモ関連カテゴリーが関連づけられる。この様なキーワード辞書３１における登録情報は、ユーザ操作に基づいて、任意に編集することができる。例えば、キーワードやカテゴリーを追加し、或いは、変更し、或いは、削除することができる。
【００４２】
カテゴリー辞書３２には、カテゴリーごとに、関連する１又は２以上のアプリケーションプログラムを示す文字列が保持されている。具体的には、カテゴリー「商品名」には、アプリケーション「買物帳」及び「家計簿」が対応づけられ、カテゴリー「価格」には、アプリケーション「買物帳」及び「家計簿」が対応づけられ、カテゴリー「店舗名」には、アプリケーション「買物帳」及び「地図」が対応づけられている。
【００４３】
カテゴリー「購入済」には、アプリケーション「家計簿」が対応づけられ、カテゴリー「廃棄」には、アプリケーション「ゴミ箱」が対応づけられ、カテゴリー「目的地」には、アプリケーション「地図」が対応づけられている。カテゴリー「人名」には、アプリケーション「アドレス帳」が対応づけられ、カテゴリー「地名」には、アプリケーション「地図」、「アドレス帳」及び「スケジュール」が対応づけられている。この様なカテゴリー辞書３２における登録情報は、ユーザ操作に基づいて、任意に編集することができる。例えば、カテゴリーやアプリケーションプログラムを追加し、或いは、変更し、或いは、削除することができる。
【００４４】
この様なカテゴリー辞書３２を参照すれば、図２に示したメモ情報４に対し、アプリケーション「買物帳」、「家計簿」及び「地図」の３つのメモ関連アプリケーションが関連づけられる。キーワードを直接にアプリケーションプログラムと対応づけるのではなく、カテゴリーを介してアプリケーションプログラムに対応づけることにより、同じカテゴリーに属する複数のキーワードについて、関連づけの処理を簡素化することができる。また、キーワードを直接にアプリケーションプログラムに対応づける場合に比べて、関連づけの精度を向上させることができる。
【００４５】
図４は、図２の携帯情報端末１の動作の一例を示した図であり、アプリケーションプログラムに対するメモ情報４の関連づけの評価結果が示されている。アプリケーションプログラムに対するメモ情報４の関連づけは、メモ関連カテゴリーの出現回数によって評価され、この出現回数が最も多いアプリケーションプログラムがメモ関連アプリケーションとして判別される。
【００４６】
図２に示したメモ情報４の場合、アプリケーション「買物帳」に関連するメモ関連カテゴリーの出現回数は、３回であり、アプリケーション「家計簿」に関連するメモ関連カテゴリーの出現回数は、２回であり、アプリケーション「地図」に関連するメモ関連カテゴリーの出現回数は、２回である。従って、メモ関連カテゴリーの出現回数が最大のアプリケーション「買物帳」がメモ関連アプリケーションとして判別される。
【００４７】
図５のステップＳ１０１〜Ｓ１０６は、図２の携帯情報端末１におけるメモ情報４の登録時の動作の一例を示したフローチャートである。まず、文字情報抽出部２１は、メモ情報生成部２０により、メモ情報４が新たに作成され、或いは、登録されているメモ情報４が編集されれば、メモ情報４から文字情報を抽出する（ステップＳ１０１）。キーワード検出部２２は、抽出された文字情報に基づいて、キーワードを検出する（ステップＳ１０２）。
【００４８】
次に、カテゴリー判別部２３は、キーワード辞書３１を参照し、検出キーワードごとに、メモ情報４に関連するカテゴリーをメモ関連カテゴリーとして判別する（ステップＳ１０３）。アプリケーション判別部２４は、カテゴリー辞書３２を参照し、メモ関連カテゴリーごとにアプリケーションプログラムへの関連づけを評価する（ステップＳ１０４）。
【００４９】
アプリケーション判別部２４は、関連づけの評価結果に基づいて、メモ情報４に関連するアプリケーションプログラムをメモ関連アプリケーションとして判別し、メモ情報４やアプリケーションプログラムへの関連付けに係る登録情報を更新する（ステップＳ１０５，Ｓ１０６）。
【００５０】
本実施の形態によれば、メモ情報４から文字情報を抽出して文字情報に含まれるキーワードを検出し、メモ情報４に関連するカテゴリーを判別して、アプリケーションプログラムに対するメモ情報４の関連づけが行われる。このため、メモ情報４をデータファイルとして管理する際のファイル名やデータファイルの属性情報を利用してアプリケーションプログラムへの関連づけを行う場合に比べ、メモ情報４自体の内容を関連づけに十分に反映させることができる。従って、ユーザが意図するものとは異なるアプリケーションプログラムに誤って関連づけされるのを抑制することができる。
【００５１】
また、メモ情報４が作成されれば、アプリケーションプログラムへの関連づけが自動的に行われるので、ユーザ自身が操作部を操作してアプリケーションプログラムへの関連づけを行う手間を省くことができる。
【００５２】
実施の形態２．
実施の形態１では、メモ関連カテゴリーの出現回数が最大のアプリケーションプログラムにメモ情報４を関連づける場合の例について説明した。これに対し、本実施の形態では、関連づけの重み係数を用いてメモ関連アプリケーションを判別する場合について説明する。
【００５３】
図６は、本発明の実施の形態２による携帯情報端末１において用いられるカテゴリー辞書３２及びメモ情報４の関連づけの評価結果の一例を示した図である。図中の（ａ）には、カテゴリー辞書３２が示され、（ｂ）には、アプリケーションプログラムに対するメモ情報４の関連づけの評価結果が示されている。
【００５４】
このカテゴリー辞書３２は、関連づけの重み係数と共にカテゴリーがアプリケーションプログラムに対応づけて保持される。具体的には、カテゴリー及びアプリケーションプログラムの異なる組合せごとに、関連づけの重み係数が保持されている。重み係数は、カテゴリー及びアプリケーションプログラムの関連度合を示す相対値であり、アプリケーションプログラムに対するメモ情報４の関連づけを評価するのに用いられる。
【００５５】
この例では、カテゴリー「商品名」及びアプリケーション「買物帳」の組合せと、カテゴリー「商品名」及びアプリケーション「家計簿」の組合せと、カテゴリー「価格」及びアプリケーション「買物帳」の組合せと、カテゴリー「価格」及びアプリケーション「家計簿」の組合せには、いずれも重み係数「３０」が指定されている。また、カテゴリー「店舗名」及びアプリケーション「買物帳」の組合せには、重み係数「１０」が指定されている。
【００５６】
カテゴリー「店舗名」及びアプリケーション「地図」の組合せには、重み係数「３０」が指定され、カテゴリー「購入済」及びアプリケーション「家計簿」の組合せには、重み係数「５０」が指定され、カテゴリー「転記済」及びアプリケーション「ゴミ箱」の組合せには、重み係数「１０００」が指定されている。この様な重み係数の割当は、ユーザ操作に基づいて、任意に変更することができる。
【００５７】
アプリケーションプログラムに対するメモ情報４の関連づけの評価は、同一のメモ情報４に関連づけられている各アプリケーションプログラムについて、メモ関連カテゴリーごとに重み係数を加算することによって行われる。図２に示したメモ情報４の場合、アプリケーション「買物帳」に関連するメモ関連カテゴリーについて、重み係数を加算した合計は、７０であり、アプリケーション「家計簿」に関連するメモ関連カテゴリーについて、重み係数を加算した合計は、６０である。また、アプリケーション「地図」に関連するメモ関連カテゴリーについて、重み係数を加算した合計は、７０である。
【００５８】
重み係数の合計が最大のアプリケーションプログラムがメモ関連アプリケーションとして判別される。従って、この例では、重み係数の和が最も大きいアプリケーション「買物帳」及び「地図」がメモ関連アプリケーションとして判別される。つまり、メモ情報４には、アプリケーション「買物帳」に加え、アプリケーション「地図」もメモ関連アプリケーションとして対応づけられる。
【００５９】
メモ情報４が変更されれば、変更後のメモ情報４に対し、文字情報の抽出処理、キーワードの検出処理及びカテゴリーの判別処理が行われ、メモ関連アプリケーションを判別する処理が再度行われる。例えば、図２に示したメモ情報４に対し、数字列が「１３８」に変更され、文字情報「済」が付加された場合、キーワード「済」が新たに検出され、カテゴリー「購入済」がメモ関連カテゴリーとして判別される。
【００６０】
このメモ関連カテゴリーには、アプリケーション「家計簿」が対応づけられている。アプリケーション「家計簿」に関連するメモ関連カテゴリーについて、重み係数を加算した合計は、１１０になる。従って、重み係数の和が最も大きいアプリケーション「家計簿」がメモ関連アプリケーションとして判別される。メモ情報記憶部２５内の登録情報は、この様なメモ関連アプリケーションの再度の判別結果に基づいて更新される。
【００６１】
＜アプリケーション画面４０＞
図７は、図６の携帯情報端末１の動作の一例を示した図であり、タッチパネル１２上に表示されるアプリケーション画面４０が示されている。図中の（ａ）には、アプリケーション画面４０を分割してメモ情報４を表示する場合が示されている。この場合、アプリケーション画面４０は、メモ関連アプリケーション、すなわち、地図アプリケーションの地図画像４１を表示するための表示領域と、メモ情報４を表示するための表示領域４２とに分割されている。
【００６２】
図中の（ｂ）には、メモ情報４をメモ関連アプリケーションのコンテンツ情報４３として表示する場合が示されている。この場合、アプリケーション画面４０には、地図画像４１が表示され、コンテンツ情報４３は、地図中の表示オブジェクトに対応づけて表示されている。
【００６３】
図中の（ｃ）には、メモ情報４をメモ関連アプリケーションの地図画像４１に重ねて表示する場合が示されている。メモ情報４は、この様に、メモ関連アプリケーションの実行中に表示される。メモ情報４の表示は、地図アプリケーションとは別個に起動させることが可能なアプリケーションプログラム、すなわち、メモアプリケーションによって行われるものであっても良いし、地図アプリケーションの一機能として行われるものであっても良い。
【００６４】
また、１つのメモ関連アプリケーションに対し、２以上のメモ情報４が対応づけられている場合には、これらのメモ情報４を同時に表示しても良いし、一定時間ごとに順次に表示し、或いは、ユーザによって選択されたものだけを表示するような構成であっても良い。さらに、アプリケーション画面４０上に表示されているメモ情報４は、直接に編集することができる。
【００６５】
本実施の形態によれば、関連づけの重み係数に基づいてメモ関連アプリケーションを判別するので、アプリケーションプログラムに対しメモ情報４を関連づける際の関連づけの精度を向上させることができる。
【００６６】
なお、実施の形態１及び２では、携帯電話機に本発明を適用する場合の例について説明したが、本発明は、通信機能を有する端末装置に限らず、通信機能を有しない端末装置、例えば、タブレット端末やＰＤＡにも適用することができる。
【００６７】
本発明の実施の形態による携帯情報端末の構成と対応する作用効果とを以下に整理してまとめる。
第１の本発明による携帯情報端末１は、ユーザ操作に基づいて、文字情報を含むメモ情報４を生成するメモ情報生成部２０と、メモ情報４から文字情報を抽出する文字情報抽出部２１と、文字情報からキーワードを検出するキーワード検出部２２と、キーワードをカテゴリーに対応づけて保持するキーワード辞書３１及びキーワード検出部２２により検出されたキーワードに基づいて、メモ情報４に関連するカテゴリーを判別するカテゴリー判別部２３と、カテゴリーをアプリケーションプログラムに対応づけて保持するカテゴリー辞書３２及びカテゴリー判別部２３により判別されたカテゴリーに基づいて、メモ情報４に関連するアプリケーションプログラムを判別するアプリケーション判別部２４と、メモ情報４を当該メモ情報４が関連するアプリケーションプログラムに対応づけて保持するメモ情報記憶部２５と、アプリケーションプログラムの実行中に、当該アプリケーションプログラムに関連づけられたメモ情報４を表示するメモ情報表示部２８とを備えて構成される。
【００６８】
この様な構成によれば、メモ情報４をデータファイルとして管理する際のファイル名やデータファイルの属性情報を利用してアプリケーションプログラムへの関連づけを行う場合に比べ、メモ情報４自体の内容を関連づけに十分に反映させることができる。従って、ユーザが意図するものとは異なるアプリケーションプログラムに誤って関連づけされるのを抑制することができる。また、メモ情報４が作成されれば、アプリケーションプログラムへの関連づけが自動的に行われるので、ユーザ自身が操作部を操作してアプリケーションプログラムへの関連づけを行う手間を省くことができる。
【００６９】
第２の本発明による携帯情報端末１は、上記構成に加え、アプリケーション判別部２４が、同一のメモ情報４に関連づけられている各アプリケーションプログラムについてカテゴリーの出現回数を計数し、出現回数が最大のアプリケーションプログラムを当該メモ情報４に関連づけるように構成される。この様な構成によれば、アプリケーションプログラムに対するメモ情報４の関連づけが適切に行われるので、ユーザが意図するものとは異なるアプリケーションプログラムに誤って関連づけされる可能性を低減させることができる。
【００７０】
第３の本発明による携帯情報端末１は、上記構成に加え、カテゴリー辞書３２が、関連づけの重み係数と共にカテゴリーをアプリケーションプログラムに対応づけて保持し、アプリケーション判別部２４が、同一のメモ情報４に関連づけられている各アプリケーションプログラムについてカテゴリーごとに重み係数を加算し、重み係数の合計が最大のアプリケーションプログラムを当該メモ情報４に関連づけるように構成される。この様な構成によれば、アプリケーションプログラムに対するメモ情報４の関連づけが適切に行われるので、ユーザが意図するものとは異なるアプリケーションプログラムに誤って関連づけされる可能性を低減させることができる。
【００７１】
第４の本発明による携帯情報端末１は、上記構成に加え、アプリケーション判別部２４が、メモ情報４が変更された場合に、変更後のメモ情報４に基づいて、アプリケーションプログラムに対するメモ情報４の関連づけを再度行うように構成される。この様な構成によれば、メモ情報４を変更するごとに、ユーザ自身がアプリケーションプログラムへの関連づけを行う手間を省くことができる。
【００７２】
第５の本発明による携帯情報端末１は、上記構成に加え、表示面へのタッチ操作を検出するタッチパネル１２を備え、メモ情報生成部２０が、表示面に対するタッチ操作に基づいて、手書きされた線画からなる画像をメモ情報４として生成するように構成される。この様な構成によれば、メモ情報４が手書きされた線画からなる画像であっても、アプリケーションプログラムに対するメモ情報４の関連づけを自動的に行うことができる。
【符号の説明】
【００７３】
１  携帯情報端末
１２  タッチパネル
２０  メモ情報生成部
２１  文字情報抽出部
２２  キーワード検出部
２３  カテゴリー判別部
２４  アプリケーション判別部
２５  メモ情報記憶部
２６  アプリケーション記憶部
２７  アプリケーション実行部
２８  メモ情報表示部
３１  キーワード辞書
３２  カテゴリー辞書
４０  アプリケーション画面
４  メモ情報
【図１】
2014164603.tif 000003
【図２】
2014164603.tif 000004
【図３】
2014164603.tif 000005
【図４】
2014164603.tif 000006
【図５】
2014164603.tif 000007
【図６】
2014164603.tif 000008
【図７】
2014164603.tif 000009